(57)【要約】【課題】マクロ撮影等の非通常撮影用の光学素子や照明用の発光部を持たないカメラを有する携帯情報端末機器に対して、容易に非通常撮影を行え、かつ撮影対象物の良好な照明を可能とする。【解決手段】撮影用アダブタ装置は、カメラ４１を備えた携帯情報端末機器４０に取り外し可能に取り付けられる。該アダプタ装置は、光学素子４と、該アダプタ装置が携帯情報端末機器に取り付けられた状態でカメラのレンズ前に対して光学素子を進退させる進退機構６，９と、撮影対象物を照明する光を発する発光部５と、該発光部を発光させるための電力を供給するバッテリ１５を収容可能なバッテリ収容部１５ａとを有する。【選択図】図３
2013125038.tif 000002
【特許請求の範囲】
【請求項１】
カメラを備えた携帯情報端末機器に取り外し可能に取り付けられるアダプタ装置であって、
光学素子と、
該アダプタ装置が前記携帯情報端末機器に取り付けられた状態で前記カメラのレンズ前に対して前記光学素子を進退させる進退機構と、
撮影対象物を照明する光を発する発光部と、
前記発光部を発光させるための電力を供給するバッテリを収容可能なバッテリ収容部とを有することを特徴とする撮影アダプタ装置。
【請求項２】
前記発光部は、前記進退機構によって前記光学素子とともに、前記カメラに対して進退する方向に移動することを特徴とする請求項１に記載の撮影アダプタ装置。
【請求項３】
前記光学素子が前記カメラのレンズ前に位置していることを検出する第１の検出部と、
前記発光部に対する発光／非発光の設定を検出する第２の検出部と、
前記第１の検出部により前記光学素子が前記カメラのレンズに対して位置していることを検出し、かつ前記第２の検出部により前記発光部に対して発光設定がなされていることを検出することを条件として前記発光部を発光させる発光制御部とを有することを特徴とする請求項１または２に記載の撮影用アダプタ装置。
【請求項４】
前記発光制御部は、前記発光部の発光が開始された後、所定時間の経過に応じて該発光部の発光を停止させることを特徴とする請求項３に記載の撮影用アダプタ装置。
【発明の詳細な説明】
【技術分野】
【０００１】
本発明は、カメラを有する携帯電話等の携帯情報端末機器に装着されて、マクロ撮影等の撮影を可能とする撮影用アダプタ装置に関する。
【背景技術】
【０００２】
携帯情報端末機器のほとんどはカメラを搭載しているが、そのカメラはきわめて小型であり、搭載されているレンズ（以下、カメラレンズという）の焦点距離その他の性能には制約が多い。
【０００３】
一方、携帯情報端末機器のカメラは、通常のスナップ撮影に使用されるほか、花や昆虫等の観察物のクローズアップ撮影やドキュメントの内容を記録するための撮影等、撮影対象物に対してきわめて近い距離からの撮影（マクロ撮影）にも使用されることが多い。
【０００４】
ただし、携帯情報端末機器自体が小型であるため、カメラレンズに対して別のレンズや光学フィルタ等の光学素子をカメラレンズに対して進退させる機構を携帯情報端末機器に内蔵すると、構造が複雑になったり、撮影倍率を大きくとれなかったりする。また、一般にマクロ撮影を行うためには、撮影対象物の上に影ができないようにその周囲から均一に照明することが必要となるが、携帯情報端末機器にもともと搭載されている照明用の発光部は、このようなマクロ撮影用の照明にまで対応していない。
【０００５】
特許文献１には、カメラと照明用の発光部とを有する携帯電話に、マクロ撮影を可能とするためのレンズ（マクロレンズ）を外付けするためのアダプタ装置が開示されている。このアダプタ装置には、マクロレンズが固定的に取り付けられているとともに、携帯電話の発光部からの光を撮影対象物に導いてマクロ撮影のための照明を行うミラー等の導光部材が取り付けられている。
【先行技術文献】
【特許文献】
【０００６】
【特許文献１】特開２００４−２７９７３３号公報
【発明の概要】
【発明が解決しようとする課題】
【０００７】
しかしながら、特許文献１にて開示されたアダプタ装置は、マクロ撮影を行うときと通常撮影を行うとき、すなわちマクロレンズの使用時と不使用時とで、いちいち携帯電話に対して取り付けたり取り外したりしなければならず、手間がかかる。しかも、マクロレンズの光軸が携帯電話のカメラのレンズとの光軸に対してずれることによる撮影画質の低下を避けるためには、アダプタ装置の携帯電話に対する取り付け方法としてあまり簡易な方法を選択できず、ますます取り付けと取り外しに手間がかかる。
【０００８】
また、照明に関しても、携帯電話にもともと通常撮影用に設けられている発光部を流用するに過ぎないため、マクロ撮影に適した良好な照明を行うことは難しい。さらに、このような発光部を有してない携帯電話に対しては、特許文献１にて開示されたアダプタ装置を使用しても撮影対象物の照明を行うことができない。
【０００９】
本発明は、マクロ撮影その他の非通常撮影用の光学素子や発光部を持たないカメラを有する携帯情報端末機器に対して、該光学素子の使用／不使用を容易に切り替えられ、かつ撮影対象物の良好な照明を可能とする撮影用アダプタ装置を提供する。
【課題を解決するための手段】
【００１０】
本発明の一側面としての撮影用アダブタ装置は、カメラを備えた携帯情報端末機器に取り外し可能に取り付けられる。該アダプタ装置は、光学素子と、該アダプタ装置が携帯情報端末機器に取り付けられた状態でカメラのレンズ前に対して光学素子を進退させる進退機構と、撮影対象物を照明する光を発する発光部と、該発光部を発光させるための電力を供給するバッテリを収容可能なバッテリ収容部とを有することを特徴とする。
【発明の効果】
【００１１】
本発明によれば、アダプタ装置が携帯情報端末機器に取り付けられた状態で光学素子をカメラレンズに対して進退させることができるので、該アダプタ装置を携帯情報端末機器に取り付けたまま該光学素子を使用する撮影と使用しない撮影とを行うことができる。また、バッテリ収容部に収容されたバッテリからの電力によって該アダプタ装置が有する発光部を発光させるので、携帯情報端末機器が発光部を有するか否かにかかわらず、撮影対象物を照明することができ、かつ上記光学素子を使用する撮影に適した照明を行うことができる。
【図面の簡単な説明】
【００１２】
【図１】本発明の実施例１である撮影用アダプタ装置（マクロ撮影状態）の前面図。
【図２】実施例１の撮影用アダプタ装置（通常撮影状態）の前面図。
【図３】実施例１の撮影用アダプタ装置（マクロ撮影状態）の背面図。
【図４】実施例１の撮影用アダプタ装置（通常撮影状態）の背面図。
【図５】実施例１の撮影用アダプタ装置（マクロ撮影状態であって照明ＯＦＦ状態）の背面図。
【図６】本発明の実施例２である撮影用アダプタ装置（マクロ撮影状態）の背面図。
【図７】実施例２の撮影用アダプタ装置（通常撮影状態）の背面図。
【図８】本発明の実施例３である撮影用アダプタ装置（マクロ撮影状態）の背面図。
【図９】実施例３の撮影用アダプタ装置（通常撮影状態）の背面図。
【図１０】本発明の実施例４である撮影用アダプタ装置（通常撮影状態）の前面図。
【図１１】実施例１の撮影用アダプタ装置の携帯情報端末機器に対する取り付け方法を示す図。
【発明を実施するための形態】
【００１３】
以下、本発明の実施例について図面を参照しながら説明する。
【実施例１】
【００１４】
図１には、本発明の実施例１である撮影用アダプタ装置の外観を示している。図１には、後述するレンズ／照明ユニット３がレンズ進退部２内に位置（進入）しているマクロ撮影状態を示している。図１において、１は本体であり、携帯電話等の携帯情報端末機器（以下、単に端末機器という）の外面に取り外し可能に取り付けられる。
【００１５】
図１１には、内蔵カメラ４１を備えた端末機器４０に対する本実施例のアダプタ装置の取り付け／取り外し方法を示している。本体１は、レンズ進退部２が設けられた側（以下、前面という）とは反対側に開口部１ｃを有し、この開口部１ｃを通して端末機器４０を内部に収容することができる。本体１における開口１ｃを囲む端部には、端末機器４０の外装に係合して本体１（アダプタ装置）を端末機器４０に対して固定するフック部１ａが形成されている。このようにして端末機器４０に取り付けられたアダプタ装置のレンズ進退部２は、端末機器４０の表示パネル面とは反対側の面（以下、カメラ側の面という）に設けられた内蔵カメラ４１の撮影レンズ（以下、カメラレンズという）４１ａを囲むように配置される。
【００１６】
なお、アダプタ装置は、情報端末４０の外装（外形）を利用して取り付けられればよく、ネジを用いた方法や、両面テープ等を用いた接着方法によって取り付けてもよい。
【００１７】
本体１のうち端末機器のカメラ４１に対応する位置には、リング状のレンズ進退部２が設けられている。該レンズ進退部２の内側には、被写体からカメラレンズ４１ａに向かう光を通過させるとともに、マクロ撮影用の光学素子としてのマクロレンズ４および撮影対象物を照明するための光を発する発光部５を配置するための撮影開口２ａが形成されている。マクロレンズ４と発光部５とによりレンズ／照明ユニット３が構成される。
【００１８】
このようにマクロレンズ４がカメラレンズ前に配置されることで、カメラ４１はマクロ撮影を行うことができる。このとき、マクロレンズ４の周囲に配置された複数のＬＥＤを含む発光部５を点灯（発光）させることで、撮影対象物に対してマクロ撮影に適した（つまりは、撮影対象物の上に不要な影ができないような）照明を行うことができる。このマクロレンズ／照明ユニット３は、レンズ進退操作部７を含む後述する進退機構により、撮影開口２ａに対して（つまりはカメラレンズ前に対して）進退する。１３は発光部５の点灯／消灯（発光／非発光）の設定を切り替える照明スイッチである。
【００１９】
図２には、レンズ／照明ユニット３が撮影開口２ａに対して退避した位置にある通常撮影状態を示している。この通常撮影状態では、撮影開口２ａ内には、カメラレンズ４１ａのみが表れている。以下、図１に示すマクロ撮影状態に対応するレンズ／照明ユニット３の位置をマクロ撮影位置（第１の位置）といい、図２に示す通常撮影状態に対応するレンズ／照明ユニット３の位置を通常撮影位置（第２の位置）という。
【００２０】
図３および図４には、アダプタ装置を前面とは反対側、すなわち背面側から見た構成を示している。アダプタ装置は、この背面に端末機器４０のカメラ側の面が対向するように該端末機器４０に取り付けられる。図３は図１に示したマクロ撮影状態を、図４は図２に示した通常撮影状態をそれぞれ示している。
【００２１】
レンズ／照明ユニット３は、前述したように、マクロ撮影のためのマクロレンズ４と、該マクロレンズ４の周囲に配置された複数のＬＥＤを含む発光部５とを有する。図３および図４に示す発光部５の裏側に、図１に示した複数のＬＥＤが配置されている。レンズ／照明ユニット３は、軸部８を中心として本体１に対してマクロ撮影位置と通常撮影位置との間で回動（移動）可能である。
【００２２】
なお、本実施例では、発光部（複数のＬＥＤ）５をマクロレンズ４の全周を囲むように配置した場合について説明するが、これは例に過ぎず、必ずしもそのように配置する必要はなく、例えば、上下左右の４箇所や左右又は上下の２箇所等にのみＬＥＤを設け、マクロ撮影に適した照明が行えるようにすればよい。また、発光部５は、複数のＬＥＤを点灯させるものに限らない。例えば、１つのＬＥＤからリング状の導光部材に光を導き、該導光部材からリング状の光を撮影対象物に向けて射出させるようにしてもよい。
【００２３】
６はレンズ進退レバーであり、使用者による前述したレンズ進退操作部７の操作に応じて本体１に対して、図３および図４の上下方向に移動（スライド）する。
【００２４】
１１は発光制御部としてのＣＰＵ１１ａが実装された制御基板である。ＣＰＵ１１ａは、発光部５の点灯と消灯を制御する。制御基板１１は、発光部５と配線ケーブルで接続され、また後述するバッテリ１５とコネクタを介して接続されている。
【００２５】
また、制御基板１１には、第１の検出部としての進退検出スイッチ１２と、第２の検出部としての照明検出スイッチ１４とが実装されている。進退検出スイッチ１２は、プッシュ式のスイッチであり、スライドするレンズ進退レバー６によってＯＮ／ＯＦＦが切り替えられ、ＯＮとなることでレンズ／照明ユニット３がマクロ撮影位置にある（マクロレンズ４がカメラレンズ前に位置している）ことを示すマクロ撮影位置信号をＣＰＵ１１ａに対して出力する。また、照明検出スイッチ１４は、スライド式のスイッチであり、使用者によって照明スイッチ１３がスライド操作されることによってＯＮ／ＯＦＦが切り替えられ、ＯＮとなることで発光部５に対する点灯の設定（発光設定）を示す点灯信号をＣＰＵ１１ａに対して出力する。
【００２６】
バッテリ１５は、本体１に設けられたバッテリ収容部１５ａ内に取り外し可能に収容され、上述したコネクタを介して制御基板１１（ＣＰＵ１１ａ）に電力を供給するとともに、発光部５にＬＥＤを点灯させるための電力を供給する。バッテリ１５は、充電が可能な二次電池でもボタン電池のような一次電池でもよい。
【００２７】
なお、図３および図４には図示を省略しているが、実際のアダプタ装置の背面には、端末機器４０との間に配置され、レンズ／照明ユニット３、後述する進退機構、制御基板１１およびバッテリ収容部１５ａ（バッテリ１５）を覆うカバーが取り付けられる。
【００２８】
以上のように構成されたアダプタ装置において、図４に示す通常撮影状態から図３に示すようにレンズ進退操作部７を介してレンズ進退レバー６を図中の上側にスライドさせることにより、レンズ／照明ユニット３が軸部８を中心として上側に回動してマクロ撮影位置に到達する。
【００２９】
具体的には、レンズ進退レバー６には、ねじりコイルばね９のコイル部と第１のアーム部とが取り付けられており、レンズ／照明ユニット３にはねじりコイルばね９の第２のアーム部が取り付けられている。レンズ進退レバー６を図中の上側にスライドさせると、レンズ／照明ユニット３は、ねじりコイルばね９の第２のアーム部を介してレンズ進退レバー６から上方への力を受けて回動し、さらに弾性変形したねじりコイルばね９からの付勢力を第２のアーム部から受けてマクロ撮影位置に保持される。レンズ進退操作部７を有するレンズ進退レバー６とねじりコイルばね９により、進退機構が構成される。
【００３０】
また、このときレンズ進退レバー６に設けられた突起部１０は進退検出スイッチ１２を押してこれをＯＮとする。これにより、進退検出スイッチ１２は、マクロ撮影位置信号をＣＰＵ１１ａに出力し、ＣＰＵ１１ａはレンズ／照明ユニット３がマクロ撮影位置にあることを検出する。
【００３１】
この状態において、ＣＰＵ１１ａが発光部５を点灯させるか否かは、照明スイッチ１３のＯＮ／ＯＦＦによって選択される。つまり、ＣＰＵ１１ａは、進退検出スイッチ１２によりマクロレンズ４がカメラレンズ前に位置していることを検出し、かつ照明スイッチ１３により発光部５の点灯設定（発光設定）がなされていることを条件として発光部５を点灯させる。したがって、図５に示すように、レンズ／照明ユニット３がマクロ撮影位置にあっても、照明スイッチ１３にて点灯設定がなされていないときは、ＣＰＵ１１ａは、発光部５を発光させない。このように、マクロ撮影を行う場合でも発光部５の発光／非発光を使用者が任意に選択することができ、撮影対象物の明るさその他の撮影条件に応じた適切な照明を行うことができる。
【００３２】
また、レンズ／照明ユニット３が通常撮影位置にあるときは、照明スイッチ１３にて発光設定がなされていても、ＣＰＵ１１ａは、発光部５を点灯させない。これにより、レンズ／照明ユニット３が通常撮影位置に退避することで自動的に発光部５が消灯するので、発光部５が発光し続けて電力が無駄に消費されることを回避できる。
【００３３】
なお、照明スイッチ１３は、本実施例のようなスライド式スイッチではなく、プッシュ式スイッチでもよい。この場合に、照明スイッチ１３をプッシュ操作している間は発光部５が点灯し、該プッシュ操作を解除することで発光部５が消灯するように構成することもできる。また、ＣＰＵ１１ａは、内部タイマを用いて、発光部５が点灯を開始した後、所定時間の経過に応じて発光部５を消灯させてもよい。これにより、発光部５が長時間の間点灯し続けることによる電力の消費を抑えることができる。
【００３４】
図４に示すマクロ撮影状態から図３に示すようにレンズ進退操作部７を介してレンズ進退レバー６を図中の下側にスライドさせることにより、レンズ／照明ユニット３は、ねじりコイルばね９の第２のアーム部から付勢力を受けて軸部８を中心に下側に回動し、通常撮影位置に到達するとともに、この位置に保持される。
【００３５】
また、このとき、レンズ進退検出スイッチ１２を押していた進退レバー６の突起部１０がレンズ進退検出スイッチ１２から離れ、これをＯＦＦとする。これにより、進退検出スイッチ１２はマクロ撮影位置信号の出力を停止するため、ＣＰＵ１１ａはレンズ／照明ユニット３が通常撮影位置にあることを検出できる。
【００３６】
このように、本実施例のアダプタ装置は、該アダプタ装置が端末機器４０に取り付けられた状態でレンズ／照明ユニット３をマクロ撮影位置と通常撮影位置とに移動（進退）させることができる。
【００３７】
なお、本実施例では、レンズ／照明ユニット３がマクロ撮影に適したマクロレンズ４を有する場合について説明したが、レンズ／照明ユニット３が有するレンズはマクロレンズ以外のレンズであって、通常撮影用ではない非通常撮影用のレンズであればよい。また、マクロレンズでも他のレンズでもない光学フィルタ等の光学素子であってもよい。レンズ／照明ユニット３が有するレンズがマクロレンズではない場合には、照明についても、発光部５はマクロ撮影に適した照明を行うものでなくてもよい。これらのことは、後述する他の実施例でも同じである。
【実施例２】
【００３８】
図６および図７には、本発明の実施例２である撮影用アダプタ装置の背面を示している。本実施例において、実施例１と共通する又は同じ機能を有する構成要素には、実施例１と同符号を付す。図６は、レンズ／照明ユニット２３がマクロ撮影位置にあるマクロ撮影状態を示している。図７は、レンズ／照明ユニット２３が通常撮影位置にある通常撮影状態を示している。
【００３９】
本実施例におけるレンズ／照明ユニット２３は、実施例１で説明したレンズ／照明ユニット３と同じマクロレンズ４と発光部５とを有する。ただし、本実施例は、実施例１に対して、レンズ／照明ユニット２３の進退機構の構成が異なる。
【００４０】
具体的には、本実施例では、レンズ進退レバー２５の図中での上下方向への移動（スライド）に伴って、レンズ／照明ユニット２３は、本体１１に設けられたガイドレール２２に沿ってマクロ撮影位置と通常撮影位置との間で平行移動する。
【００４１】
より具体的には、レンズ／照明ユニット２３から突出したピン部２１が、レンズ進退レバー２５に形成されたカム溝部２４に係合している。このため、レンズ進退レバー２５のスライドに伴って、ガイドレール２２によりガイドされるレンズ／照明ユニット２３は、カム溝部２４のリフトによって斜め方向に平行移動する。このとき、制御基板１１に設けられた進退検出スイッチ１２のＯＮ／ＯＦＦ切り替えは、実施例１と同様にレンズ進退レバー２５を介して行ってもよいし、平行移動するレンズ／照明ユニット２３によって行うようにしてもよい。
【００４２】
本実施例によれば、レンズ進退レバー２５に設けられたカム溝部２４の形状を変更することにより、レンズ／照明ユニット２３の退避位置や退避するタイミングを適宜設定することができる。
【実施例３】
【００４３】
図８および図９には、本発明の実施例３である撮影用アダプタ装置の背面を示している。本実施例において、実施例１と共通する又は同じ機能を有する構成要素には、実施例１と同符号を付す。図８は、レンズ／照明ユニット３３がマクロ撮影位置にあるマクロ撮影状態を示している。図９は、レンズ／照明ユニット３３が通常撮影位置にある通常撮影状態を示している。
【００４４】
本実施例では、実施例１で説明したレンズ／照明ユニット３とレンズ進退レバー６とが一体に形成されたものに相当するレンズ／照明ユニット３３を有する。レンズ／照明ユニット３３には、実施例１で説明したレンズ進退操作部７に相当するレンズ進退操作部３２が設けられている。レンズ進退操作部３２を有するレンズ／照明ユニット３３が、進退機構に相当する。
【００４５】
使用者がレンズ進退操作部３２を図中の上下方向にスライド操作することで、レンズ／照明ユニット３３の全体がマクロ撮影位置と通常撮影位置との間で移動（進退）する。
【００４６】
本実施例によれば、実施例１と比べて部品点数を減少させ、より簡単な構成でアダプタ装置を実現できる。
【実施例４】
【００４７】
上記実施例１〜３では、マクロレンズ４と発光部５とが設けられたレンズ／照明ユニット（３，２３，３３）がマクロ撮影位置と通常撮影位置とに一体で移動する場合について説明した。しかし、図１０に示すように、発光部５をレンズ進退部２内に固定しておき、マクロレンズ４のみを実施例１〜３にて説明した又は他の進退機構によってマクロ撮影位置と通常撮影位置とに移動できるように構成してもよい。本実施例でも、実施例１と共通する又は同じ機能を有する構成要素には、実施例１と同符号を付す。
【００４８】
本実施例において、発光部５の複数のＬＥＤがマクロ撮影位置にあるマクロレンズ４の周囲に配置される点は、実施例１〜３と同じである。ただし、発光部５に対して、通常撮影状態にて内蔵カメラ４１の画角をけらないように、内径や厚みを小さくする等の対策が必要である。
【００４９】
本実施例によれば、発光部５を移動させる必要がなくなるので、制御基板１１から発光部５への配線を簡素化することができる。また、マクロレンズ４のみを移動させればよいので、移動負荷が小さくなり、マクロ撮影状態と通常撮影状態との間での位置操作性を向上させることができる。
【００５０】
また、本実施例では、発光部５の点灯／消灯は、マクロレンズ４の位置とは関係なく切り替えることが可能である。つまり、通常撮影状態でも発光部５を点灯させ、マクロ撮影での被写体距離より遠い距離の撮影対象物を照明しながら通常撮影を行うことができる。
【００５１】
以上説明した各実施例は代表的な例にすぎず、本発明の実施に際しては、各実施例に対して種々の変形や変更が可能である。
【産業上の利用可能性】
【００５２】
携帯情報端末機器に対して、マクロ撮影等の非通常撮影を可能とする撮影用アダプタ装置を提供できる。
【符号の説明】
【００５３】
１  本体
２  レンズ進退部
２ａ  撮影開口
３，２３，３３  レンズ／照明ユニット
４     マクロレンズ
５     発光部
１１ａ  ＣＰＵ
１２   進退検出スイッチ
１４   照明検出スイッチ
１５   バッテリ
４０   携帯情報端末機器
４１   （携帯情報端末機器の）内蔵カメラ
【図１】
2013125038.tif 000003
【図２】
2013125038.tif 000004
【図３】
2013125038.tif 000005
【図４】
2013125038.tif 000006
【図５】
2013125038.tif 000007
【図６】
2013125038.tif 000008
【図７】
2013125038.tif 000009
【図８】
2013125038.tif 000010
【図９】
2013125038.tif 000011
【図１０】
2013125038.tif 000012
【図１１】
2013125038.tif 000013